(57)【要約】【課題】受け付けた情報を別の通信システムに転送する。【解決手段】インターホン装置１は、第１通信部１１と、入力部１２と、処理部１３と、を備える。第１通信部１１は、第１通信システム１０とは異なる第２通信システム２０と直接的又は間接的に通信する。入力部１２は、情報の入力を受け付ける。処理部１３は、第１情報Ｄａ１の少なくとも一部、又は、第２情報Ｄａ２の少なくとも一部を含む第３情報Ｄａ３を、第１通信部１１から第２通信システム２０に送信させる。第１情報Ｄａ１は、上記情報として入力部１２が受け付けた情報である。第２情報Ｄａ２は、第１通信部１１とは異なる第２通信部１５が受信した情報である。【選択図】図１
2020005151.tif 000002
【特許請求の範囲】
【請求項１】
第１通信システムに含まれるインターホン装置であって、
前記第１通信システムとは異なる第２通信システムと直接的又は間接的に通信する第１通信部と、
情報の入力を受け付ける入力部と、
前記情報として前記入力部が受け付けた第１情報の少なくとも一部、又は、前記第１通信部とは異なる第２通信部が受信した第２情報の少なくとも一部を含む第３情報を、前記第１通信部から前記第２通信システムに送信させる処理部と、を備える、
インターホン装置。
【請求項２】
前記第１通信部は、前記第３情報に対する前記第２通信システムからの応答情報を受信し、
前記処理部は、前記応答情報に基づいて動作する、
請求項１に記載のインターホン装置。
【請求項３】
前記第３情報は、音声情報と画像情報との少なくとも一方を含む、
請求項１又は２に記載のインターホン装置。
【請求項４】
前記第３情報を前記第１通信部から前記第２通信システムに送信させるか否かを設定する設定部を更に備える、
請求項１〜３のいずれか１項に記載のインターホン装置。
【請求項５】
前記第１通信部は、前記第１通信システムに含まれる通信装置と通信可能であり、
前記設定部は、前記第１通信部と前記通信装置とが通信している状態では、前記第３情報を前記第１通信部から前記第２通信システムに送信させない、
請求項４に記載のインターホン装置。
【請求項６】
前記設定部は、前記入力部が特定の入力を受け付けた場合に、前記第３情報を前記第１通信部から前記第２通信システムに送信させることを許可する、
請求項４又は５に記載のインターホン装置。
【請求項７】
前記第１通信部は、前記第３情報に対する前記第２通信システムからの応答情報を受信し、
前記処理部は、前記応答情報に基づく制御指令を制御対象機器に出力する、
請求項１〜６のいずれか１項に記載のインターホン装置。
【請求項８】
前記第２通信部を更に備え、
前記第２通信部は、前記第１通信システムに含まれる情報端末と通信可能であり、
前記第３情報は、前記第２通信部が前記情報端末から受信する前記第２情報を含み、
前記第１通信部は、前記第３情報に対する前記第２通信システムからの応答情報を受信し、
前記処理部は、前記応答情報に基づいて動作する、
請求項１〜７のいずれか１項に記載のインターホン装置。
【請求項９】
前記第１通信部は、前記第１通信システムに含まれる通信装置との間に設けられた制御装置と通信可能であり、
前記制御装置は、前記第２通信システムと通信可能であり、
前記第１通信部は、前記制御装置を介して前記第３情報に対する前記第２通信システムからの応答情報を受信し、
前記処理部は、前記応答情報に基づいて動作する、
請求項１〜８のいずれか１項に記載のインターホン装置。
【請求項１０】
ユーザの操作を受け付ける操作部を更に備え、
前記第１情報は、前記操作部が受け付けた前記ユーザの操作に基づく情報を含む、
請求項１〜９のいずれか１項に記載のインターホン装置。
【請求項１１】
前記第１通信部は、互いに異なる複数種類の前記第２通信システムに共通の通信方式を有する、
請求項１〜１０のいずれか１項に記載のインターホン装置。
【請求項１２】
前記第１通信部は、前記第１通信システムに含まれる第１通信装置と通信可能であり、かつ、前記第１通信装置とは異なり前記第２通信システムと直接的又は間接的に通信する第２通信装置と通信可能である、
請求項１〜１１のいずれか１項に記載のインターホン装置。
【請求項１３】
請求項１〜１２のいずれか１項に記載のインターホン装置と直接的又は間接的に通信する情報端末の制御方法であって、
前記第１情報と対応する対応情報の入力を受け付ける処理と、
前記対応情報を前記インターホン装置に送信する処理と、
前記インターホン装置への前記対応情報に対する前記インターホン装置からの返信情報に基づいて動作する処理と、を含む、
情報端末の制御方法。
【請求項１４】
請求項１３に記載の情報端末の制御方法をコンピュータシステムに実行させるための情報端末用プログラム。
【請求項１５】
第１通信システムに含まれるインターホン装置の制御方法であって、
情報の入力を受け付ける処理と、
受け付けた前記情報の少なくとも一部を、前記第１通信システムとは異なる第２通信システムに送信する処理と、を含む、
インターホン装置の制御方法。
【請求項１６】
請求項１５に記載のインターホン装置の制御方法をコンピュータシステムに実行させるためのインターホン装置用プログラム。
【発明の詳細な説明】
【技術分野】
【０００１】
本開示は、インターホン装置、インターホン装置の制御方法、インターホン装置用プログラム、情報端末の制御方法、及び情報端末用プログラムに関する。より詳細には、本開示は、通信機能を有するインターホン装置、インターホン装置の制御方法、インターホン装置用プログラム、情報端末の制御方法、及び情報端末用プログラムに関する。
【背景技術】
【０００２】
従来、住戸の外玄関や集合住宅の共用玄関（ロビー）などに設置される子機と、住戸内に設置されて子機との間で通話を行う親機とで構成されるインターホンシステムが知られている（例えば特許文献１参照）。特許文献１に記載のインターホンシステムでは、親機と子機とが信号線で接続されており、親機と子機との間で信号線を介して音声信号を伝送して通話する。
【先行技術文献】
【特許文献】
【０００３】
【特許文献１】特開２０１２−１５９７４号公報
【発明の概要】
【発明が解決しようとする課題】
【０００４】
特許文献１に記載のインターホンシステムでは、インターホン装置（親機）にて受け付けた情報を別の通信システムに転送することができなかった。
【０００５】
本開示の目的は、受け付けた情報を別の通信システムに転送することができるインターホン装置、インターホン装置の制御方法、インターホン装置用プログラム、情報端末の制御方法、及び情報端末用プログラムを提供することにある。
【課題を解決するための手段】
【０００６】
本開示の一態様に係るインターホン装置は、第１通信システムに含まれるインターホン装置である。前記インターホン装置は、第１通信部と、入力部と、処理部と、を備える。前記第１通信部は、前記第１通信システムとは異なる第２通信システムと直接的又は間接的に通信する。前記入力部は、情報の入力を受け付ける。前記処理部は、第１情報の少なくとも一部、又は、第２情報の少なくとも一部を含む第３情報を、前記第１通信部から前記第２通信システムに送信させる。前記第１情報は、前記情報として前記入力部が受け付けた情報である。前記第２情報は、前記第１通信部とは異なる第２通信部が受信した情報である。
【０００７】
本開示の一態様に係る情報端末の制御方法は、上述のインターホン装置と直接的又は間接的に通信する情報端末の制御方法である。前記情報端末の制御方法は、３つの処理を含む。第１の処理は、前記第１情報と対応する対応情報の入力を受け付ける処理である。第２の処理は、前記対応情報を前記インターホン装置に送信する処理である。第３の処理は、前記インターホン装置への前記対応情報に対する前記インターホン装置からの返信情報に基づいて動作する処理である。
【０００８】
本開示の一態様に係る情報端末用プログラムは、上述の情報端末の制御方法をコンピュータシステムに実行させるためのプログラムである。
【０００９】
本開示の一態様に係るインターホン装置の制御方法は、第１通信システムに含まれるインターホン装置の制御方法である。前記インターホン装置の制御方法は、２つの処理を含む。第１の処理は、情報の入力を受け付ける処理である。第２の処理は、受け付けた前記情報の少なくとも一部を、前記第１通信システムとは異なる第２通信システムに送信する処理である。
【００１０】
本開示の一態様に係るインターホン装置用プログラムは、上述のインターホン装置の制御方法をコンピュータシステムに実行させるためのプログラムである。
【発明の効果】
【００１１】
本開示によれば、受け付けた情報を別の通信システムに転送することができる、という効果がある。
【図面の簡単な説明】
【００１２】
【図１】図１は、一実施形態に係るインターホン装置を備える第１通信システムの概略構成図である。
【図２】図２は、同上のインターホン装置の動作を説明するフローチャートである。
【図３】図３は、一実施形態の変形例１に係るインターホン装置を備える第１通信システムの概略構成図である。
【発明を実施するための形態】
【００１３】
（実施形態）
（１）概要
以下、一実施形態に係るインターホン装置１、及びインターホン装置１を備える第１通信システム１０の概要について、図１を参照して説明する。
【００１４】
本実施形態に係る第１通信システム１０は、例えば、マンション等の集合住宅に適用される集合住宅用のインターホンシステムである。第１通信システム１０は、図１に示すように、複数（図示例では２つ）のインターホン装置１と、制御装置２と、第１通信装置３と、を備えている。さらに、第１通信システム１０は、情報端末４と、ドアホン子機５と、複数（図示例では２つ）の制御対象機器６と、を備えている。
【００１５】
インターホン装置１は、例えば、集合住宅の各住戸の内玄関に設置される住戸親機（インターホン親機）である。インターホン装置１は、第１伝送路７１を介して制御装置２に接続されている。第１伝送路７１は、幹線７１１と、複数（図示例では２つ）の分岐線７１２と、を含む。複数の分岐線７１２の各々は、分岐器８を介して幹線７１１から分岐している。複数のインターホン装置１の各々は、一対一に対応する分岐線７１２を介して幹線７１１に接続されている。インターホン装置１は、制御装置２を介して、第１通信装置３との間で通信（例えば、通話、及び制御信号の送信等）を行うように構成されている。
【００１６】
第１通信装置３は、例えば、集合住宅の共用玄関（ロビー）に設置されるロビーインターホンである。第１通信装置３は、第２伝送路７２を介して制御装置２に接続されている。第１通信装置３は、制御装置２を介して、インターホン装置１との間で通信（例えば、通話、及び映像信号の送信等）を行うように構成されている。
【００１７】
制御装置２は、例えば、集合住宅の管理室に設置されている。制御装置２は、第１伝送路７１を介して複数のインターホン装置１に接続され、第２伝送路７２を介して第１通信装置３に接続されている。つまり、制御装置２は、インターホン装置１と第１通信装置３との間の通信を中継するように構成されている。また、制御装置２は、第２通信システム２０に接続されており、第２通信システム２０と通信可能である。
【００１８】
情報端末４は、例えば、集合住宅の各住戸において少なくとも１つの居室（例えば、リビング、寝室等）に設置される増設親機である。情報端末４は、第３伝送路７３を介してインターホン装置１（後述する第２通信部１５）に接続されている。情報端末４は、インターホン装置１及び制御装置２を介して、第１通信装置３との間で通信（例えば、通話、及び制御信号の送信等）を行うように構成されている。また、情報端末４は、インターホン装置１を介して、ドアホン子機５との間で通信（例えば、通話、及び制御信号の送信等）を行うように構成されている。
【００１９】
ドアホン子機５は、例えば、集合住宅の各住戸の表玄関に設置される玄関子機である。ドアホン子機５は、第４伝送路７４を介してインターホン装置１（後述する第３通信部１７）に接続されている。ドアホン子機５は、インターホン装置１との間で通信（例えば、通話、及び映像信号の送信等）を行うように構成されている。また、ドアホン子機５は、インターホン装置１を介して、情報端末４との間で通信（例えば、通話、及び映像信号の送信等）を行うように構成されている。
【００２０】
尚、第１伝送路７１、第２伝送路７２、第３伝送路７３及び第４伝送路７４は、いずれもツイストペア線である。つまり、実際には、第１伝送路７１、第２伝送路７２、第３伝送路７３及び第４伝送路７４は２本の電線で構成されるが、図面上は１本の線で表している。
【００２１】
制御対象機器６は、例えば、集合住宅の各住戸に設けられている電気機器（例えば、照明器具、テレビ、エアコン等）である。制御対象機器６は、信号線７５を介してインターホン装置１に接続されている。制御対象機器６は、インターホン装置１からの制御指令Ｓ１に従って動作するように構成されている。
【００２２】
本実施形態に係るインターホン装置１は、図１に示すように、第１通信システム１０に含まれる。インターホン装置１は、第１通信部１１と、入力部１２と、処理部１３と、を備える。第１通信部１１は、第１通信システム１０とは異なる第２通信システム２０と直接的又は間接的に通信する。入力部１２は、情報（図示例では第１情報Ｄａ１）の入力を受け付ける。処理部１３は、第１情報Ｄａ１の少なくとも一部、又は、第２情報Ｄａ２の少なくとも一部を含む第３情報Ｄａ３を、第１通信部１１から第２通信システム２０に送信させる。第１情報Ｄａ１は、上記情報として入力部１２が受け付けた情報である。第２情報Ｄａ２は、第１通信部１１とは異なる第２通信部１５が受信した情報である。
【００２３】
第１情報Ｄａ１は、入力部１２が受け付ける情報であって、音声情報と画像情報との少なくとも一方を含む。第２情報Ｄａ２は、第２通信部１５を介して情報端末４から受け取る情報であって、第１情報Ｄａ１と同様、音声情報と画像情報との少なくとも一方を含む。第３情報Ｄａ３は、第１通信部１１から第２通信システム２０に送信させる情報であって、第１情報Ｄａ１の少なくとも一部、又は、第２情報Ｄａ２の少なくとも一部を含む。つまり、第３情報Ｄａ３は、第１情報Ｄａ１及び第２情報Ｄａ２と同様、音声情報と画像情報との少なくとも一方を含む。本実施形態では、第１情報Ｄａ１、第２情報Ｄａ２及び第３情報Ｄａ３は、いずれも音声情報である。
【００２４】
第２通信システム２０は、上述の第１通信システム１０とは異なるシステムであって、例えば、サーバ装置、携帯電話端末等を含む。第２通信システム２０は、移動体通信網、基地局、公衆通信網等を含んでいてもよい。本実施形態では一例として、第２通信システム２０はサーバ装置である。第２通信システム２０は、インターホン装置１からの第３情報Ｄａ３を受信すると、予めメモリに記憶させてある複数の応答情報Ｄａ４の中から当該第３情報Ｄａ３に対する応答情報Ｄａ４を選択し、この応答情報Ｄａ４をインターホン装置１に送信（返信）する。本実施形態では、第３情報Ｄａ３が音声情報であり、第２通信システム２０は、音声情報を認識する音声認識機能を有している。つまり、第２通信システム２０は、第３情報Ｄａ３の音声内容に応じた応答情報Ｄａ４をインターホン装置１に返信する。
【００２５】
本実施形態に係るインターホン装置１では、入力部１２が受け付けた第１情報Ｄａ１の少なくとも一部、又は、第２通信部１５が受信した第２情報Ｄａ２の少なくとも一部を含む第３情報Ｄａ３を、第１通信部１１から第２通信システム２０に送信可能である。つまり、本実施形態に係るインターホン装置１によれば、インターホン装置１にて受け付けた情報を別の通信システム（第２通信システム２０）に転送することができる。
【００２６】
（２）詳細
以下、本実施形態に係るインターホン装置１の詳細について、図１を参照して説明する。
【００２７】
本実施形態に係るインターホン装置１は、図１に示すように、第１通信部１１と、入力部１２と、処理部１３と、設定部１４と、第２通信部１５と、操作部１６と、第３通信部１７と、を備えている。さらに、インターホン装置１は、第１通信装置３又はドアホン子機５との間で通話を実現するための通話部（スピーカ及びマイクロホンを含む）、及び第１通信装置３又はドアホン子機５からの映像を表示する表示部等を備えている。
【００２８】
第１通信部１１は、第１通信装置３又は第２通信システム２０と通信するための通信インターフェースである。第１通信部１１は、第１伝送路７１を介して制御装置２に接続されている。第１通信部１１は、制御装置２を介して、第１通信装置３との間で双方向に通信可能であり、かつ、第２通信システム２０との間で双方向に通信可能である。つまり、第１通信部１１は、第１通信システム１０に含まれる第１通信装置（通信装置）３との間に設けられた制御装置２と通信可能である。第１通信部１１は、音声信号及び制御信号等を含む通信信号を第１通信装置３に送信する。また、第１通信部１１は、第１通信装置３から送信される通信信号を受信し、この通信信号を復調することで音声信号及び映像信号等を取得する。音声信号は、処理部１３を介して通話部へ出力され、映像信号は、処理部１３を介して表示部へ出力される。さらに、第１通信部１１は、第３情報Ｄａ３（音声情報）を含む通信信号を第２通信システム２０に送信する。また、第１通信部１１は、第２通信システム２０から送信される通信信号を受信し、この通信信号を復調することで第３情報Ｄａ３に対する応答情報Ｄａ４を取得する。つまり、第１通信部１１は、制御装置２を介して第３情報Ｄａ３に対する第２通信システム２０からの応答情報Ｄａ４を受信する。第１通信部１１は、取得した応答情報Ｄａ４を処理部１３に出力する。本実施形態では、応答情報Ｄａ４は、制御対象機器６に対する制御情報である。例えば、第１通信部１１からの第３情報Ｄａ３が「エアコンをつけて」等の音声情報である場合、第２通信システム２０からの応答情報Ｄａ４は、エアコン（制御対象機器６）をオンにするための制御情報（オン信号等）である。
【００２９】
第２通信部１５は、情報端末４と通信するための通信インターフェースである。つまり、第２通信部１５は、第１通信システム１０に含まれる情報端末４と通信可能である。第２通信部１５は、第３伝送路７３を介して情報端末４に接続されている。第２通信部１５は、情報端末４との間で双方向に通信可能である。第２通信部１５は、第１通信装置３又はドアホン子機５からの音声信号及び映像信号等を含む通信信号を情報端末４に送信する。また、第２通信部１５は、音声信号及び制御信号等を含む通信信号であって、第１通信装置３又はドアホン子機５への通信信号を情報端末４から受信する。このように、情報端末４が第１通信装置３又はドアホン子機５と通信する場合には、インターホン装置１は中継装置として機能する。さらに、第２通信部１５は、第２情報Ｄａ２を含む通信信号を情報端末４から受信する。つまり、第２通信部１５が情報端末４から第２情報Ｄａ２を受信する場合には、第１通信部１１から第２通信システム２０に送信される第３情報Ｄａ３に第２情報Ｄａ２が含まれる。第２情報Ｄａ２は、例えば、情報端末４に設けられた通話用のマイクロホンを介して入力される音声情報である。尚、第２情報Ｄａ２を入力するためのマイクロホンは、通話用のマイクロホンと同じであってもよいし、別であってもよい。
【００３０】
第３通信部１７は、ドアホン子機５と通信するための通信インターフェースである。第３通信部１７は、第４伝送路７４を介してドアホン子機５に接続されている。第３通信部１７は、ドアホン子機５との間で双方向に通信可能である。第３通信部１７は、音声信号及び制御信号等を含む通信信号をドアホン子機５に送信する。また、第３通信部１７は、ドアホン子機５から送信される通信信号を受信し、この通信信号を復調することで音声信号及び映像信号等を取得する。音声信号は、処理部１３を介して通話部へ出力され、映像信号は、処理部１３を介して表示部へ出力される。
【００３１】
入力部１２は、第１情報Ｄａ１の入力を受け付ける入力インターフェースである。本実施形態では、入力部１２は、操作部１６からの操作情報が入力されるように構成されている。つまり、本実施形態では、操作部１６からの操作情報が第１情報Ｄａ１である。入力部１２は、受け付けた第１情報Ｄａ１を第１通信部１１に出力する。
【００３２】
操作部１６は、ユーザ（例えば、各住戸の住人等）の操作を受け付けるように構成されている。操作部１６は、例えば、マイクロホンを含む。操作部１６は、操作情報として、マイクロホンを介して入力されたユーザからの音声信号（音声情報）を入力部１２に出力する。つまり、第１情報Ｄａ１は、操作部１６が受け付けたユーザの操作に基づく情報を含み、本実施形態では一例として、操作部１６からの音声情報を含む。尚、操作部１６に含まれるマイクロホンは、通話用のマイクロホンと同じであってもよいし、別であってもよい。操作部１６に含まれるマイクロホンが通話用のマイクロホンと同じである場合には、インターホン装置１が元々備えているマイクロホンによって操作部１６を実現することができる。
【００３３】
処理部１３は、第１通信部１１、第２通信部１５及び第３通信部１７を各別に制御するように構成されている。また、処理部１３は、第３情報Ｄａ３に対する第２通信システム２０からの応答情報Ｄａ４に基づいて、制御対象機器６を制御するように構成されている。つまり、処理部１３は、応答情報Ｄａ４に基づいて動作するように構成されている。言い換えると、処理部１３は、応答情報Ｄａ４に基づく制御指令Ｓ１を制御対象機器６に出力するように構成されている。
【００３４】
処理部１３は、例えば、プロセッサ及びメモリを有するマイクロコンピュータで構成されている。つまり、処理部１３は、プロセッサ及びメモリを有するコンピュータシステムで実現されている。そして、プロセッサが適宜のプログラムを実行することにより、コンピュータシステムが処理部１３として機能する。プログラムは、メモリに予め記録されていてもよいし、インターネット等の電気通信回線を通じて、又はメモリカード等の非一時的な記録媒体に記録されて提供されてもよい。
【００３５】
設定部１４は、第３情報Ｄａ３を第１通信部１１から第２通信システム２０に送信させるか否かを設定するように構成されている。本実施形態では、第１通信部１１は、制御装置２を介して、第１通信装置（通信装置）３と通信可能である。そして、設定部１４は、第１通信部１１が第１通信装置３と通信している状態では、第１通信部１１から第２通信システム２０に第３情報Ｄａ３を送信させないように構成されている。また、設定部１４は、第１通信部１１が第１通信装置３と通信していない状態では、入力部１２が特定の入力を受け付けた場合に、第１通信部１１から第２通信システム２０に第３情報Ｄａ３を送信させることを許可するように構成されていることが好ましい。ここでいう「特定の入力」とは、第３情報Ｄａ３の送信を第１通信部１１に許可するための入力であり、例えば、ユーザによる音声入力である。つまり、第１通信部１１は、入力部１２がユーザによる音声入力を受け付けた場合に、第２通信システム２０に対して第３情報Ｄａ３を含む通信信号を送信する。
【００３６】
（３）動作
次に、本実施形態に係るインターホン装置１の動作について、図２に示すフローチャートを参照して説明する。以下では、入力部１２が第１情報Ｄａ１を受け付ける場合について説明するが、第２通信部１５が第２情報Ｄａ２を受信する場合も同様であり、第２通信部１５が第２情報Ｄａ２を受信する場合については説明を省略する。
【００３７】
インターホン装置１では、ユーザが操作部１６に含まれるマイクロホンを介して音声情報を入力すると、この音声情報が第１情報Ｄａ１として入力部１２に入力される（ステップＳＴ１）。入力部１２は、受け付けた第１情報Ｄａ１を第１通信部１１に出力する。第１通信部１１は、設定部１４によって第３情報Ｄａ３の送信が許可されている場合（ステップＳＴ２；Ｙｅｓ）には、第３情報Ｄａ３を含む通信信号を第２通信システム２０に送信する（ステップＳＴ３）。また、第１通信部１１は、設定部１４によって第３情報Ｄａ３の送信が許可されていない場合（ステップＳＴ２；Ｎｏ）には、上記通信信号を第２通信システム２０に送信しない。
【００３８】
第２通信システム２０は、インターホン装置１（第１通信部１１）からの通信信号を受信すると、この通信信号に含まれる第３情報Ｄａ３に対応付けられた応答情報Ｄａ４をメモリから取得する。そして、第２通信システム２０は、この応答情報Ｄａ４を含む通信信号をインターホン装置１に向けて送信する。
【００３９】
インターホン装置１では、第１通信部１１が第２通信システム２０からの通信信号を受信し、この通信信号に含まれる応答情報Ｄａ４を取得する（ステップＳＴ４）。第１通信部１１は、取得した応答情報Ｄａ４を処理部１３に出力する。処理部１３は、応答情報Ｄａ４に基づいて、制御対象機器６の動作を制御する（ステップＳＴ５）。例えば、応答情報Ｄａ４が制御対象機器６をオンにするための情報であれば、処理部１３は、この応答情報Ｄａ４に従って制御対象機器６をオンにする。
【００４０】
本実施形態に係るインターホン装置１によれば、入力部１２又は第２通信部１５にて受け付けた情報を、インターホン装置１を含む第１通信システム１０とは異なる第２通信システム２０に転送することができる。また、本実施形態のように、第３情報Ｄａ３が音声情報である場合には、第２通信システム２０に音声認識機能を持たせることで、処理部１３が音声情報を解析しなくてもよく、処理部１３を簡単な構成で実現することができる。
【００４１】
さらに、本実施形態のように、インターホン装置１が設定部１４を備えている場合には、第１通信部１１から第２通信システム２０に第３情報Ｄａ３を送信させるか否かを設定部１４にて設定することができる。特に、第１通信部１１と第１通信装置３とが通信している状態では、設定部１４が第１通信部１１から第３情報Ｄａ３を送信させないようにすることで、第１通信部１１と第１通信装置３との通信が安定するという利点がある。また、第１通信部１１と第１通信装置３とが通信していない場合に、第１通信部１１から第３情報Ｄａ３を送信させることで、第２通信システム２０に対して第３情報Ｄａ３を確実に送信することができる。
【００４２】
（４）変形例
上述の実施形態は、本開示の様々な実施形態の一つに過ぎない。上述の実施形態は、本開示の目的を達成できれば、設計等に応じて種々の変更が可能である。また、情報端末４と同様の機能は、情報端末４の制御方法、コンピュータプログラム、又はコンピュータプログラムを記録した非一時的な記録媒体等で具現化されてもよい。さらに、インターホン装置１と同様の機能は、インターホン装置１の制御方法、コンピュータプログラム、又はコンピュータプログラムを記録した非一時的な記録媒体等で具現化されてもよい。
【００４３】
一態様に係る情報端末４の制御方法は、インターホン装置１と直接的又は間接的に通信する情報端末４の制御方法である。情報端末４の制御方法は、３つの処理を含む。第１の処理は、第１情報Ｄａ１と対応する対応情報の入力を受け付ける処理である。第２の処理は、上記対応情報をインターホン装置１に送信する処理である。第３の処理は、インターホン装置１への上記対応情報に対するインターホン装置１からの返信情報に基づいて動作する処理である。
【００４４】
一態様に係る情報端末用プログラムは、上述の情報端末４の制御方法をコンピュータシステムに実行させるためのプログラムである。
【００４５】
一態様に係るインターホン装置１の制御方法は、第１通信システム１０に含まれるインターホン装置１の制御方法である。インターホン装置１の制御方法は、２つの処理を含む。第１の処理は、情報（第１情報Ｄａ１）の入力を受け付ける処理である。第２の処理は、受け付けた上記情報の少なくとも一部を、第１通信システム１０とは異なる第２通信システム２０に送信する処理である。
【００４６】
一態様に係るインターホン装置用プログラムは、上述のインターホン装置１の制御方法をコンピュータシステムに実行させるためのプログラムである。
【００４７】
以下、上述の実施形態の変形例を列挙する。以下に説明する変形例は、適宜組み合わせて適用可能である。
【００４８】
本開示におけるインターホン装置１、インターホン装置１の制御方法、情報端末４又は情報端末４の制御方法の実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示におけるインターホン装置１、インターホン装置１の制御方法、情報端末４又は情報端末４の制御方法の実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１乃至複数の電子回路で構成される。ここでは、ＩＣ又はＬＳＩと呼んでいるが、集積の度合いによって呼び方が変わり、システムＬＳＩ、ＶＬＳＩ（very Large Scale Integration）、又はＵＬＳＩ（Ultra Large Scale Integration）と呼ばれるものでもよい。ＬＳＩの製造後にプログラムされる、フィールド・プログラマブル・ゲート・アレイ（ＦＰＧＡ）、又はＬＳＩ内部の接合関係の再構成又はＬＳＩ内部の回路区画のセットアップができる再構成可能な論理デバイスも同じ使い方が可能である。複数の電子回路は、１つのチップに集約されていてもよいし、複数のチップに分散して設けられていてもよい。複数のチップは、１つの装置に集約されていてもよいし、複数の装置に分散して設けられていてもよい。
【００４９】
また、上述の実施形態では、第１通信部１１、入力部１２及び処理部１３が１つの装置（インターホン装置１）にて実現されているが、第１通信部１１、入力部１２及び処理部１３が２つ以上の装置にて実現されてもよい。また、第１通信部１１、入力部１２及び処理部１３の少なくとも１つの機能が２つ以上の装置にて実現されてもよい。また、処理部１３は、例えば、クラウド（クラウドコンピューティング）によって実現されてもよい。
【００５０】
（４．１）変形例１
上述の実施形態では、インターホン装置１と第２通信システム２０とが第１通信システム１０に含まれる制御装置２を介して通信したが、図３に示すように、インターホン装置１Ａと第２通信システム２０とが第２通信装置９を介して通信してもよい。以下、変形例１に係るインターホン装置１Ａ及び第１通信システム１０Ａについて、図３を参照して説明する。尚、インターホン装置１Ａと第２通信システム２０とが第２通信装置９を介して通信を行う点以外は、上述の実施形態と同様であり、同一の構成要素には同一の符号を付して詳細な説明を省略する。
【００５１】
変形例１に係る第１通信システム１０Ａは、図３に示すように、複数（図示例では２つ）のインターホン装置１Ａと、制御装置２と、第１通信装置３と、情報端末４と、ドアホン子機５と、複数（図示例では２つ）の制御対象機器６と、を備えている。また、変形例１に係るインターホン装置１Ａは、第１通信部１１Ａと、入力部１２と、処理部１３と、設定部１４と、第２通信部１５と、操作部１６と、第３通信部１７と、を備えている。つまり、変形例１に係るインターホン装置１Ａ及び第１通信システム１０Ａは、上述の実施形態に係るインターホン装置１及び第１通信システム１０と同様の構成である。
【００５２】
変形例１に係るインターホン装置１Ａでは、第１通信部１１Ａは、制御装置２を介して第１通信装置３と通信可能であり、かつ、第２通信装置９を介して第２通信システム２０と通信可能である。つまり、第１通信部１１Ａは、第１通信システム１０に含まれる第１通信装置３と通信可能であり、かつ、第１通信装置３とは異なり第２通信システム２０と直接的に通信する第２通信装置９と通信可能である。
【００５３】
第２通信装置９は、例えば、ＡＩスピーカ（スマートピーカ）である。第２通信装置９は、マイクロホンを内蔵しており、マイクロホンを介して入力される音声情報を認識する音声認識機能を有している。第２通信装置９は、音声認識機能によって、インターホン装置１Ａからの第３情報Ｄａ３（音声情報）をテキストデータに変換し、このテキストデータを含む通信信号を第２通信システム２０に送信する。したがって、この場合には、第２通信システム２０において音声認識機能が不要であるという利点がある。また、第２通信装置９は、第３情報Ｄａ３に対する第２通信システム２０からの応答情報Ｄａ４を受信し、この応答情報Ｄａ４をインターホン装置１Ａ（第１通信部１１Ａ）に送信する。
【００５４】
ここで、インターホン装置１Ａの第１通信部１１Ａと第２通信装置９とは、図３に示すように、有線通信であってもよいし、無線通信であってもよい。
【００５５】
尚、変形例１に係るインターホン装置１Ａの動作については、上述の実施形態に係るインターホン装置１と同様であり、ここでは説明を省略する。
【００５６】
変形例１に係るインターホン装置１Ａによれば、入力部１２又は第２通信部１５にて受け付けた情報を、第２通信装置９を介して第２通信システム２０に転送（送信）することができる。つまり、変形例１に係るインターホン装置１Ａによれば、インターホン装置１Ａにて受け付けた情報を別の通信システム（第２通信システム２０）に転送することができる。
【００５７】
（４．２）その他の変形例
以下、その他の変形例を列挙する。
【００５８】
上述の実施形態及び変形例１では、第１通信システム１０，１０Ａを集合住宅に適用したが、例えば、戸建て住宅に第１通信システム１０，１０Ａを適用してもよいし、オフィスビル等の集合住宅に第１通信システム１０，１０Ａを適用してもよい。
【００５９】
上述の実施形態及び変形例１では、インターホン装置１の第２通信部１５に情報端末４を接続したが、例えば、第２通信部１５に第２通信装置９を接続してもよい。
【００６０】
上述の実施形態及び変形例１では、情報端末４とドアホン子機５とを別々の通信部（第２通信部１５及び第３通信部１７）に接続したが、情報端末４とドアホン子機５とを１つの通信部に接続してもよい。
【００６１】
上述の変形例１では、制御装置２と第２通信装置９とを１つの通信部（第１通信部１１Ａ）に接続したが、制御装置２と第２通信装置９とを別々の通信部に接続してもよい。
【００６２】
上述の実施形態及び変形例１では、１種類の第２通信システム２０を第１通信システム１０，１０Ａに接続したが、複数種類の第２通信システム２０を第１通信システム１０，１０Ａに接続してもよい。この場合において、第１通信部１１，１１Ａは、複数種類の第２通信システム２０と通信可能であることが好ましい。つまり、第１通信部１１，１１Ａは、互いに異なる複数種類の第２通信システム２０に共通の通信方式を有していることが好ましい。この構成によれば、１つの第１通信部１１によって、複数種類の第２通信システム２０との通信が可能であるという利点がある。
【００６３】
上述の実施形態及び変形例１では、第１通信部１１，１１Ａが、制御装置２又は第２通信装置９を介して第２通信システム２０と間接的に通信したが、第１通信部１１，１１Ａは、第２通信システム２０と直接的に通信してもよい。
【００６４】
上述の実施形態及び変形例１では、第１情報Ｄａ１、第２情報Ｄａ２及び第３情報Ｄａ３が音声情報を含んでいるが、第１情報Ｄａ１、第２情報Ｄａ２及び第３情報Ｄａ３は、音声情報及び画像情報の少なくとも一方を含んでいればよい。つまり、第１情報Ｄａ１、第２情報Ｄａ２及び第３情報Ｄａ３は、音声情報のみを含んでいてもよいし、画像情報のみを含んでいてもよいし、音声情報及び画像情報の両方を含んでいてもよい。
【００６５】
上述の実施形態では、入力部１２への「特定の入力」がユーザによる音声入力であるが、「特定の入力」は、音声入力に限定されず、例えば、押ボタンスイッチによる押操作入力であってもよい。この場合、第１情報Ｄａ１は、コマンドデータ、テキストデータ等である。
【００６６】
上述の変形例１では、第２通信装置９が第２通信システム２０と直接的に通信したが、第２通信装置９は、第２通信システム２０との間に設けられた別の通信装置を介して第２通信システム２０と間接的に通信してもよい。
【００６７】
上述の実施形態及び変形例１では、情報端末４がインターホン装置１，１Ａと直接的に通信したが、情報端末４は、インターホン装置１，１Ａとの間に設けられた別の通信装置を介してインターホン装置１，１Ａと間接的に通信してもよい。
【００６８】
上述の実施形態及び変形例１では、インターホン装置１，１Ａが住戸親機であるが、インターホン装置１，１Ａは住戸親機に限定されず、ロビーインターホンであってもよいし、ドアホン子機であってもよい。
【００６９】
上述の実施形態及び変形例１では、第１通信装置３がロビーインターホンであるが、第１通信装置３はロビーインターホンに限定されず、例えば、第１通信システム１０が戸建て住宅に適用される場合には玄関子機であってもよい。
【００７０】
上述の実施形態及び変形例１では、情報端末４が増設親機であるが、情報端末４は増設親機に限定されず、例えば、携帯電話端末、ＰＤＡ（Personal Digital Assistant）等であってもよい。
【００７１】
設定部１４は、例えば、押ボタンスイッチを有していてもよい。この場合、設定部１４は、押ボタンスイッチが押されている間だけ、第１通信部１１，１１Ａから第３情報Ｄａ３を送信させるように構成されていることが好ましい。
【００７２】
上述の実施形態及び変形例１では、第１通信部１１，１１Ａは、設定部１４の許可がなければ第３情報Ｄａ３を送信しないが、設定部１４の許可にかかわらず第３情報Ｄａ３を送信してもよい。この場合、第２通信システム２０は、インターホン装置１，１Ａから第３情報Ｄａ３を受信しても、第３情報Ｄａ３に対する応答情報Ｄａ４を送信しないように構成されていればよい。
【００７３】
上述の変形例１では、第２通信装置がＡＩスピーカであるが、インターホン装置１Ａと第２通信システム２０との通信を中継するだけであれば、ルータ等であってもよい。
【００７４】
上述の実施形態及び変形例１では、第２通信部１５が情報端末４から第２情報Ｄａ２を受信しているが、例えば、第３通信部１７がドアホン子機５から第２情報Ｄａ２を受信してもよい。
【００７５】
（まとめ）
以上説明したように、第１の態様に係るインターホン装置（１；１Ａ）は、第１通信システム（１０；１０Ａ）に含まれる。インターホン装置（１；１Ａ）は、第１通信部（１１；１１Ａ）と、入力部（１２）と、処理部（１３）と、を備える。第１通信部（１１；１１Ａ）は、第１通信システム（１０；１０Ａ）とは異なる第２通信システム（２０）と直接的又は間接的に通信する。入力部（１２）は、情報（第１情報Ｄａ１）の入力を受け付ける。処理部（１３）は、第１情報（Ｄａ１）の少なくとも一部、又は、第２情報（Ｄａ２）の少なくとも一部を含む第３情報（Ｄａ３）を、第１通信部（１１；１１Ａ）から第２通信システム（２０）に送信させる。第１情報（Ｄａ１）は、上記情報として入力部（１２）が受け付けた情報である。第２情報（Ｄａ２）は、第１通信部（１１；１１Ａ）とは異なる第２通信部（１５）が受信した情報である。
【００７６】
この態様によれば、インターホン装置（１；１Ａ）にて受け付けた情報（第１情報Ｄａ１又は第２情報Ｄａ２）を第２通信システム（２０）に転送することができる。
【００７７】
第２の態様に係るインターホン装置（１；１Ａ）では、第１の態様において、第１通信部（１１；１１Ａ）は、第３情報（Ｄａ３）に対する第２通信システム（２０）からの応答情報（Ｄａ４）を受信する。処理部（１３）は、応答情報（Ｄａ４）に基づいて動作する。
【００７８】
この態様によれば、第１通信部（１１；１１Ａ）が受信した第２通信システム（２０）からの応答情報（Ｄａ４）に基づく動作を処理部（１３）に実行させることができる。
【００７９】
第３の態様に係るインターホン装置（１；１Ａ）では、第１又は２の態様において、第３情報（Ｄａ３）は、音声情報と画像情報との少なくとも一方を含む。
【００８０】
この態様によれば、音声情報と画像情報との少なくとも一方を第２通信システム（２０）に転送（送信）することができる。
【００８１】
第４の態様に係るインターホン装置（１；１Ａ）は、第１〜３のいずれかの態様において、設定部（１４）を更に備える。設定部（１４）は、第３情報（Ｄａ３）を第１通信部（１１；１１Ａ）から第２通信システム（２０）に送信させるか否かを設定する。
【００８２】
この態様によれば、第３情報（Ｄａ３）を第１通信部（１１；１１Ａ）から第２通信システム（２０）に送信させるか否かを設定することができる。
【００８３】
第５の態様に係るインターホン装置（１；１Ａ）では、第４の態様において、第１通信部（１１；１１Ａ）は、第１通信システム（１０；１０Ａ）に含まれる通信装置（第１通信装置３）と通信可能である。設定部（１４）は、第１通信部（１１；１１Ａ）と上記通信装置とが通信している状態では、第３情報（Ｄａ３）を第１通信部（１１；１１Ａ）から第２通信システム（２０）に送信させない。
【００８４】
この態様によれば、第１通信部（１１；１１Ａ）と上記通信装置との通信が安定するという利点がある。
【００８５】
第６の態様に係るインターホン装置（１；１Ａ）では、第４又は５の態様において、設定部（１４）は、入力部（１２）が特定の入力を受け付けた場合に、第３情報（Ｄａ３）を第１通信部（１１；１１Ａ）から第２通信システム（２０）に送信させることを許可する。
【００８６】
この態様によれば、特定の入力に応じて、第３情報（Ｄａ３）を第１通信部（１１；１１Ａ）から第２通信システム（２０）に送信させることができる。
【００８７】
第７の態様に係るインターホン装置（１；１Ａ）では、第１〜６のいずれかの態様において、第１通信部（１１；１１Ａ）は、第３情報（Ｄａ３）に対する第２通信システム（２０）からの応答情報（Ｄａ４）を受信する。処理部（１３）は、応答情報（Ｄａ４）に基づく制御指令（Ｓ１）を制御対象機器（６）に出力する。
【００８８】
この態様によれば、第２通信システム（２０）からの応答情報（Ｄａ４）に応じて、制御対象機器（６）を制御することができる。
【００８９】
第８の態様に係るインターホン装置（１；１Ａ）は、第１〜７のいずれかの態様において、第２通信部（１５）を更に備える。第２通信部（１５）は、第１通信システム（１０；１０Ａ）に含まれる情報端末（４）と通信可能である。第３情報（Ｄａ３）は、第２通信部（１５）が情報端末（４）から受信する第２情報（Ｄａ２）を含む。第１通信部（１１；１１Ａ）は、第３情報（Ｄａ２）に対する第２通信システム（２０）からの応答情報（Ｄａ４）を受信する。処理部（１３）は、応答情報（Ｄａ４）に基づいて動作する。
【００９０】
この態様によれば、情報端末（４）からの第２情報（Ｄａ２）に対する応答情報（Ｄａ４）に基づく動作を処理部（１３）に実行させることができる。
【００９１】
第９の態様に係るインターホン装置（１；１Ａ）では、第１〜８のいずれかの態様において、第１通信部（１１；１１Ａ）は、第１通信システム（１０；１０Ａ）に含まれる通信装置（第１通信装置３）との間に設けられた制御装置（２）と通信可能である。制御装置（２）は、第２通信システム（２０）と通信可能である。第１通信部（１１；１１Ａ）は、制御装置（２）を介して第３情報（Ｄａ３）に対する第２通信システム（２０）からの応答情報（Ｄａ４）を受信する。処理部（１３）は、応答情報（Ｄａ４）に基づいて動作する。
【００９２】
この態様によれば、制御装置（２）を介して第２通信システム（２０）から受信する応答情報（Ｄａ４）に基づく動作を処理部（１３）に実行させることができる。
【００９３】
第１０の態様に係るインターホン装置（１；１Ａ）は、第１〜９のいずれかの態様において、操作部（１６）を更に備える。操作部（１６）は、ユーザの操作を受け付ける。第１情報（Ｄａ１）は、操作部（１６）が受け付けたユーザの操作に基づく情報を含む。
【００９４】
この態様によれば、ユーザの操作に基づく情報を第２通信システム（２０）に転送することができる。
【００９５】
第１１の態様に係るインターホン装置（１；１Ａ）では、第１〜１０のいずれかの態様において、第１通信部（１１；１１Ａ）は、互いに異なる複数種類の第２通信システム（２０）に共通の通信方式を有する。
【００９６】
この態様によれば、１つの第１通信部（１１；１１Ａ）によって、複数種類の第２通信システム（２０）との通信が可能であるという利点がある。
【００９７】
第１２の態様に係るインターホン装置（１Ａ）では、第１〜１１のいずれかの態様において、第１通信部（１１Ａ）は、第１通信装置（３）と通信可能であり、かつ、第２通信装置（９）と通信可能である。第１通信装置（３）は、第１通信システム（１０Ａ）に含まれる。第２通信装置（９）は、第１通信装置（３）とは異なり、第２通信システム（２０）と直接的又は間接的に通信する。
【００９８】
この態様によれば、第２通信装置（９）を介して、第３情報（Ｄａ３）を第２通信システム（２０）に転送することができる。
【００９９】
第１３の態様に係る情報端末（４）の制御方法は、第１〜１２のいずれかの態様に係るインターホン装置（１；１Ａ）と直接的又は間接的に通信する情報端末（４）の制御方法である。情報端末（４）の制御方法は、３つの処理を含む。第１の処理は、第１情報（Ｄａ１）と対応する対応情報の入力を受け付ける処理である。第２の処理は、上記対応情報をインターホン装置（１；１Ａ）に送信する処理である。第３の処理は、インターホン装置（１；１Ａ）への上記対応情報に対するインターホン装置（１；１Ａ）からの返信情報に基づいて動作する処理である。
【０１００】
この態様によれば、専用の情報端末（４）を用いることなく、受け付けた情報（第２情報Ｄａ２）を第２通信システム（２０）に転送することができる。
【０１０１】
第１４の態様に係る情報端末用プログラムは、第１３の態様に係る情報端末（４）の制御方法をコンピュータシステムに実行させるためのプログラムである。
【０１０２】
この態様によれば、専用の情報端末（４）を用いることなく、受け付けた情報（第２情報Ｄａ２）を第２通信システム（２０）に転送することができる。
【０１０３】
第１５の態様に係るインターホン装置（１；１Ａ）の制御方法は、第１通信システム（１０；１０Ａ）に含まれるインターホン装置（１；１Ａ）の制御方法である。インターホン装置（１；１Ａ）の制御方法は、２つの処理を含む。第１の処理は、情報（第１情報Ｄａ１）の入力を受け付ける処理である。第２の処理は、受け付けた上記情報の少なくとも一部を、第１通信システム（１０；１０Ａ）とは異なる第２通信システム（２０）に送信する処理である。
【０１０４】
この態様によれば、専用のインターホン装置（１；１Ａ）を用いることなく、受け付けた情報（第１情報Ｄａ１、第２情報Ｄａ２）を第２通信システム（２０）に転送することができる。
【０１０５】
第１６の態様に係るインターホン装置用プログラムは、第１５の態様に係るインターホン装置（１）の制御方法をコンピュータシステムに実行させるためのプログラムである。
【０１０６】
この態様によれば、専用のインターホン装置（１；１Ａ）を用いることなく、受け付けた情報（第１情報Ｄａ１、第２情報Ｄａ２）を第２通信システム（２０）に転送することができる。
【０１０７】
第２〜１２の態様に係る構成については、インターホン装置（１；１Ａ）の必須の構成ではなく、適宜省略可能である。
【符号の説明】
【０１０８】
１，１Ａ  インターホン装置
１１，１１Ａ  第１通信部
１２  入力部
１３  処理部
１４  設定部
１５  第２通信部
１６  操作部
２  制御装置
３  第１通信装置（通信装置）
４  情報端末
６  制御対象機器
９  第２通信装置
１０，１０Ａ  第１通信システム
２０  第２通信システム
Ｄａ１  第１情報
Ｄａ２  第２情報
Ｄａ３  第３情報
Ｄａ４  応答情報
Ｓ１  制御指令
【図１】
2020005151.tif 000003
【図２】
2020005151.tif 000004
【図３】
2020005151.tif 000005